(57)【要約】紙幣または他の同様の証書などの紙製有価物のための保護要素を基材上に印刷するために、上記基材上に背景を印刷する段階；および、上記背景を少なくとも部分的に覆うパターンを光学的可変インクにより半透明的に印刷する段階を含む方法が提供される。【特許請求の範囲】
【請求項１】
紙幣または他の同様の証書などの紙製有価物のための保護要素を基材上に印刷するための方法において、
上記基材上に背景を印刷する段階と、
上記背景を少なくとも部分的に覆うパターンを光学的可変インクにより半透明的に印刷する段階とを含む方法。
【請求項２】
前記半透明パターンは、スクリーン印刷方法もしくはフレキソ印刷方法を用い、または代替的にグラビア印刷を用いて印刷される、請求項１記載の方法。
【請求項３】
前記スクリーン印刷方法において使用されるスクリーンは該スクリーンのＸおよびＹ方向において２５．４０ｍｍ（１インチ）当たり約１８０〜２３０ラインを備える、請求項２記載の方法。
【請求項４】
前記背景は単色もしくは多色オフセット方法を用いて印刷される、請求項１乃至３のいずれか一項に記載の方法。
【請求項５】
前記保護要素に対してドライ・エンボス加工を行う段階を備える先行請求項のいずれか一項に記載の方法。
【請求項６】
紙幣および他の同様の証書などの紙製有価物のために基材上に載置される保護要素であって、
上記基材上に印刷された背景（１）と、
上記背景を少なくとも部分的に覆うと共に、半透明であり、且つ、上記背景（１）を視認可能なまま残置すべく光学的可変インクを用いて形成されたパターン（２）と、
を本質的特徴とする保護要素。
【請求項７】
前記背景（１）はオフセット印刷によるものである、請求項６記載の保護要素。
【請求項８】
前記パターン（２）はスクリーン印刷またはフレキソ印刷またはグラビア印刷によるものである、請求項６または７に記載の保護要素。
【請求項９】
ドライ・エンボス部（３）を更に備えて成る、請求項６乃至８のいずれか一項に記載の保護要素。
【請求項１０】
請求項６乃至９のいずれか一項に記載の保護要素を備えた、特に紙幣または他の同様の証書である紙製有価物（４）。
【発明の詳細な説明】
【技術分野】
【０００１】
本発明は、たとえば紙幣、小切手、クレディット・カード、パスポートもしくは身分関係証書（ｉｄｅｎｔｉｔｙ  ｄｏｃｕｍｅｎｔ）および他の同様の証書などの紙製有価物（ｐａｐｅｒ  ｓｅｃｕｒｉｔｙ）に対する保護要素（ｓｅｃｕｒｉｔｙ  ｅｌｅｍｅｎｔ）を印刷する方法に関する。
【０００２】
本発明はまた、紙幣、パスポート、身分関係証書などの紙製有価物に対する保護要素にも関する。
【背景技術】
【０００３】
紙製有価物、特に紙幣の分野においては、偽造に対する防御手段としての保護要素に対する需要が高まりつつある。ここ数年でコンピュータ、スキャナおよびコピー機の技術は相当に改良されており、現在では相応の価格にて高性能機器を購入し得る。斯かる機器の性能は非常に良好であることから、紙幣、小切手、クレディット・カード、パスポートもしくは身分関係証書および他の同様の証書などの紙製有価物を偽造から保護すべく且つ斯かる紙製有価物が今日のコンピュータ、スキャナおよびコピー機によりコピーされ得ることを阻止すべく、当該保護要素自体も更に良好に機能するという新たな保護要素を開発することが必要となる。
【０００４】
斯かる保護要素はたとえば、光学的可変インク（”ＯＶＩ”（登録商標））および虹色特性（ｉｒｉｄｅｓｃｅｎｔ  ｐｒｏｐｅｒｔｙ）を有する他のインクなどの特殊用途インクであって紙製有価物の基材上に特定のパターンもしくは幾何学形状を印刷すべく使用されるという特殊用途インクと、（”箔（ｆｏｉｌ）”として知られた）金属的貼付材（ｍｅｔａｌｌｉｚｅｄ  ｐａｔｃｈ）もしくはホログラムの形態の光学的可変デバイス（”ＯＶＤ”（登録商標））と、モアレ（ｍｏｉｒｅ）および他の類似パターンとを使用するが、これらの全ては、一方においては現在の機器によるコピーが不可能ではないが非常に困難であり、他方においては視覚的にまたは裸眼によるチェックが非常に容易である。
【０００５】
他の保護要素は、色に対してラインおよび／またはパターンの重畳物を組み合わせて形成されるが、これは例えばＵＶ光下などの一定条件下でのみ又は透かし見ることで視認可能である。ここでもまた斯かる保護要素の利点は、保護されるべき証書上に該保護要素が容易に印刷もしくは載置され得ると共に、簡素な機器を用いて、また裸眼を使用することでさえもチェックされ得るが今日のプリンタ、スキャナおよびコピー機を用いては複製され得ないということである。
【０００６】
一例として、参照することによって本願明細書の記載に代える米国特許第６，０５０，６０６号は、たとえば紙幣などの紙製有価物に対する保護要素を記述している。上記保護要素は並置された少なくとも２個の領域を有する背景から形成され、各領域はそれ自体の幾何学的デザインから成り、また夫々の領域は異なる色濃度（ｃｏｌｏｒ  ｄｅｎｓｉｔｙ）を有する。上記保護要素は更に、上記２つの領域間の色濃度の差を補償すべく色濃度が低い方の領域上に重畳して選択色で印刷されたパターンであって上記色濃度が低い方の領域に対応するパターンを備える。故に上記保護要素は裸眼に対しては均一かつパターン無しに見えるが、上記保護要素がコピーされたときに上記パターンは明確に視認可能となる。
【０００７】
参照することによって本願明細書の記載に代える米国特許第５，４４３，５７９号は、基材上に潜像を印刷する別の方法を記述している。該特許によれば、浮彫りによるラインの印刷が、浮彫りなしのラインの印刷と組み合わされる。故に、コピー機もしくは他の写真製版方法により複製され得ない潜色像が生成される。
【０００８】
参照することによって本願明細書の記載に代える米国特許第５，８５３，１９７号および米国特許第５，４８７，５６７号は、裸眼に対しては容易には視認可能でないが、逆に、当該保護要素がコピーもしくはスキャンにより複製されたときには明確に歴然となる保護要素を示している。
【０００９】
別の特定技術は透かし（ｗａｔｅｒｍａｒｋ）を採用しており、その場合にたとえば紙材などの基材は、透かし見ることでのみ視認可能なラインもしくはパターンによりマーク付けされる。この技術の発展は基材における矩形領域（ｗｉｎｄｏｗ）の生成により形成される擬似透かしに関連しており、該技術は特に、通常は当該紙基材自体が透光性ではないという紙基材と共に使用され、またその一部に対する上記矩形領域は透光性である。
【発明の開示】
【発明が解決しようとする課題】
【００１０】
参照することによって本願明細書の記載に代える米国特許第６，０８２，７７８号は、コピー機による不正なコピーに対して保護された身分証明書を記述している。該特許における着想は、金属の薄膜により与えられる保護の効果を、付加的層の物理的な、特に光学的な特性と組み合わせることで保護要素を生成することであり、上記各効果を組み合わせることで上記身分証明書の複製が防止される。透光性のカバー層の下側にては、特殊な光学特性を有する層の上側に金属の層が在る。第１実施例において上記金属の層は局所的に脱金属化されることにより、特定の光学特性を備えた上記層が露出され、すなわち、該層は脱金属化領域内において視認可能とされる。これらの層間におけるコントラストの差によれば、脱金属化により形成されたマークは裸眼により容易に認識される。ひとつの特定実施例において、特定の光学特性を有する上記層は、たとえば黒などの暗色を有する。上記金属領域の直接的な反射と高吸収の層（黒色層）との組み合わせによればコントラスト差の検出が防止されることから、上記の脱金属化により形成された情報は上記障要素のコピー上では完全に消失する。
【００１１】
先行技術において知られた他の技術に依れば、基材に対して直接的にマーク付けするか又は上記基材に装着された層に対してマーク付けすべくレーザが使用されることから、コピー機もしくはスキャナにより複製され得ない保護要素が生成される。
【００１２】
本発明のひとつの目的は、特に紙製有価物に対して使用される保護要素に対する優れた印刷方法を定義するに在る。
【００１３】
本発明の別の目的は、既に知られた保護要素を改良すると共に実現のために必要とされる方法が簡素かつ容易であるという保護要素を生成するに在る。
【００１４】
本発明の別の目的は、標準的な最近のコピー機およびスキャナおよび他の同等の機器によるコピーおよび偽造は非常に困難であるが、今日の印刷手段によれば容易に印刷され得るという保護要素を利用可能とするに在る。
【課題を解決するための手段】
【００１５】
この目的の為に、本発明に係る方法は請求項１乃至５における各段階により定義され、且つ、本発明に係る保護要素は請求項６乃至９の特徴により定義される。
【発明を実施するための最良の形態】
【００１６】
幾つかの実施例の記述およびそれらに関する図面によれば、本発明は更に良好に理解され得よう。
図１は、本発明に係る方法の一実施例をブロック図の形態で示している。第１段階においては先ず、たとえば先行技術から公知であるオフセット方法を用いて基材上に背景が印刷される。該背景は単色もしくは多色とされ得るが、斯かる印刷は先行技術の公知方法を用いて実施され得る。この方法によれば、印刷されるパターンはインク供給ローラによりインク供給されたオフセット版シリンダからブランケット胴へと転移され、すると該ブランケット胴は上記パターンを例えば紙材などの基材上へと転移する。特許出願ＦＲ２  ２２２  ２１４号は、オフセット印刷方法およびオフセット印刷機を記述している。斯かる出願の内容、特にオフセット印刷に関する箇所は、本出願に援用される。別の例として、その内容は参照することによって本願明細書の記載に代える米国特許第６，１０１，９３９号は、オフセット方法を用いる別の印刷機を記述している。この背景は、紙製有価物の表面全体に亙り延在し得るか、または、その特定領域に制限され得る。
【００１７】
上記背景の印刷の上側には、適切な印刷方法を用いると共に光学的可変インクを用いて半透明パターン（ｓｅｍｉ−ｔｒａｎｓｐａｒｅｎｔ  ｐａｔｔｅｒｎ）が印刷される。虹色特性を有する斯かるインクは金属の粒子を包含すると共に、概略的には、保護要素を形成する不透明パターン（ｏｐａｑｕｅ  ｐａｔｔｅｒｎ）の形態で紙製有価物に適用される。この理由は、金属粒子の存在の故に、光学的可変インクから形成された上記パターンは視認される角度に依り色が変化し、それらの色はインク自体の色と金属粒子との両方に依存する。斯かるインクは特に保護要素を形成するために良好である、と言うのも、カラー・コピー機もしくはスキャナを用いて虹色効果を再現することはできないからであり；コピーされたとき、上記光学的可変インクで形成された上記パターンは特にその虹色特性を喪失し、このことは、コピーであることが裸眼にて容易に識別されることを意味する。
【００１８】
好適には、光学的可変インクによる上記半透明パターンは、スクリーン印刷方法（ｓｃｒｅｅｎ  ｐｒｉｎｔｉｎｇ  ｍｅｔｈｏｄ）を用いて印刷される。斯かる印刷方法は、それ自体が先行技術において公知である。この方法に依ると、印刷されるべきパターンはスクリーンを用いて形成され、たとえば紙製有価物などの基材に対してインクは該スクリーンを通して適用される。陽画印刷に対し、パターン以外のスクリーンの孔は閉じられるが、このことは、インクは上記スクリーンを通過してパターン自体を基材上に形成することを意味する一方、陰画印刷に対し、パターンに対応する孔は閉じられてインクは該パターンの輪郭を特定し、パターン自体は基材上におけるインクの不在により生成される。一例として、スクリーン印刷機を記述する内容の米国特許第６，１０９，１７２号および米国特許第５，６７１，６７１号は参照したことにより本願明細書の記載に代える。
【００１９】
本発明に関し、本明細書中で上記において且つ上記の各米国特許において記述された例えばスクリーン印刷方法などの所定の印刷方法が光学的可変インクと組み合わされるが、スクリーン印刷用のスクリーンの細かさ、すなわちスクリーンにおける各孔のサイズは、光学的可変インクを用いてスクリーン印刷により生成されるパターンが半透明である様に選択される。故に、一方において、印刷された背景は光学的可変インクの半透明パターンを介して基材上で視認され得るが、他方において、上記パターンは光学的可変インクにより形成されることから該パターンは上記光学的可変インクに依り虹色特性を維持する。するとこれは、一方では半透明であり、他方では上記光学的可変インクの虹色光彩であるという、満足に再現することが非常に困難である２種類の独特な光学効果を組み合わせたものである。これに加え、重畳された少なくとも３つ色（背景色、および、光学的可変インクの２つの色）の組み合わせが得られ、これは、上記パターンの視認角度に従い変化することから、全体としては特に良好な保護要素が形成される。
【００２０】
スクリーン印刷方法の場合、スクリーンの細かさはスクリーンのＸおよびＹの各方向において２５．４０ｍｍ（１インチ）当たり１８０〜２３０ライン程度である。好適には、２５．４０ｍｍ（１インチ）当たり２３０ライン程度の細かさが選択される。当然乍らスクリーンの細かさは、使用される光学的可変インク、特に該インクに含まれる金属粒子のサイズに適合され得るが、その目的は、上記光学的可変インクにより半透明印刷を得ることである。これらのパラメータは当然乍ら所望の効果を得るために、各孔のサイズを調節し、故に印刷の間に析出されるインクの品質を調節するための簡単な印刷試行を通して最適化され得る。
【００２１】
光学的可変インクにより半透明パターンが析出されることを許容する他の印刷方法、特にグラビア印刷方法（ｐｈｏｔｏｇｒａｖｕｒｅ  ｍｅｔｈｏｄ）もしくはフレキソ印刷方法（ｆｌｅｘｏｇｒａｐｈｉｃ  ｍｅｔｈｏｄ）が当然乍ら可能であり、本発明はスクリーン印刷に限定されるものでなく、所望の目的は上記で示された如く、光学的可変インクによる半透明パターンを得ることである。これらの方法は先行技術から公知であり、フレキソ印刷の場合には例えば公報ＤＥ  ３５  ３５  ９９３から公知である。
【００２２】
グラビア印刷方法の場合には、６０〜１２０ライン／センチメートル程度のスクリーンの細かさを有する印刷組版が好適に使用され、そのスクリーン角度は０°〜７５°で変化可能であり、且つ、その彫刻キャビティの深さは１０マイクロメートル〜５０マイクロメートルである。これらのパラメータは当然乍ら、使用される光学的可変インクの種類と、実現が望まれる透明性の度合いとに対して適合され得る。これらのパラメータの調節は特に、比較試験を介して達成され得る。
【００２３】
フレキソ印刷方法の場合、１００〜１２０ライン／センチメートルのスクリーン線数（ｓｃｒｅｅｎ  ｒｕｌｉｎｇ）を有するアニロックス胴が使用され、その各セルの深さは３０マイクロメートル〜５０マイクロメートルである。上記各パラメータは、使用される光学的可変インクの種類と、実現が望まれる透明性の度合いとに従い適合され得る。
【００２４】
上記方法の選択的な第３の段階においては、保護要素に対してドライ・エンボス加工を行う段階が実施される。この段階によれば、上記背景と上記半透明印刷との重畳により生成された上記保護要素において付加的で隆起されたパターンが形成され得るが、この隆起パターンもまた当然乍らコピーもしくはスキャンによっては再現され得ない。このエンボス加工を実施するためには印刷の分野において習用的である凹版（ｉｎｔａｇｌｉｏ）方法が使用可能であり、ドライ・エンボス加工を実現する上ではインクの使用が省略される。このパターンもまた上記保護要素が特定角度で視認されたときにのみ視認可能であり、斯かる実施例において該パターンは、色の効果と、虹色光彩の効果と、隆起パターンによる触感効果とを組み合わせている。
【００２５】
本発明に係る保護要素は、図２乃至図４に関して記述される。
【００２６】
図２は、たとえばオフセット印刷を用いて印刷された背景１であって相互に並置された複数の数字記号”２０００”から成る背景１を備えた本発明に係る保護要素を示している。この背景の上側には、光学的可変インクを用いて半透明パターン２が印刷されている。当該光学的可変インクの故に通常は不透明であるというパターン２に対しては光学的可変インクが使用されるが、パターン２を印刷するために使用される方法は上記パターンが半透明である如きであり、背景１はパターン２を通して視認可能であることを意味している。本明細書中において上記に示された如く、光学的可変インクを用いて上記半透明パターンを生成するために使用され得るひとつの方法はスクリーン印刷方法であり、その場合にスクリーンは特定の細かさ、すなわち２５．４０ｍｍ（１インチ）当たり１８０〜２３０ラインを有する。
【００２７】
故に、光学的可変インクにより印刷されたパターンの特性と、該パターンが上側に印刷された上記背景が見えることを許容する半透明性の効果との両方を有するパターンが実現される。
【００２８】
図３は、特定実施例において本発明に係る上記保護要素を構成する種々の要素を明示している。依然として、一様に反復された記号”２０００”を備える背景１が在ると共に、光学的可変インクによる半透明パターン２が識別可能であり、半透明効果の故に上記背景の各記号は該半透明パターンを介して視認可能である。また、たとえば上記保護要素に対してドライ・エンボス加工を行うことで形成されると共に、この場合には額面（ｆａｃｅ）である隆起パターン３も識別され得る。
【００２９】
故に上記要素に対しては所定度合いの安全性が付加される、と言うのも、それは半透明であり且つ光学的可変インクにより作成された保護要素の特性を有するだけでなく、ドライ・エンボス加工による隆起パターンも含み、これらの種々の特性の全ては、最新式のコピー機またはスキャナを用いて複製することが不可能ではなくても非常に困難だからである。
【００３０】
図４において紙製有価物４は、本発明に係る保護要素を備えた一例として示される。この場合には概略的な紙幣であるこの紙製有価物４はその下側角隅部において、本出願の図３に関して描かれた如き背景１と、光学的可変インクによる半透明パターン２と、ドライ・エンボス部３とを備えている。背景１は上記紙製有価物の全領域に亙り延在し得ることを銘記されたい。
【００３１】
これに加え、背景１およびパターン２を印刷するために他の印刷技術が使可能であり、パターン２に対して重要なことは、該パターンが、光学的可変インクによるパターンの特性と、半透明効果との両方を呈することである。
【図面の簡単な説明】
【００３２】
【図１】本発明に係る保護要素を形成する印刷方法のブロック図である。
【図２】本発明に係る保護要素の第１実施例を示す図である。
【図３】本発明に係る保護要素の第２実施例を示す図である。
【図４】本発明に係る保護要素を備えた紙製有価物を示す図である。
【図１】
2006517483.tif 000002
【図２】
2006517483.tif 000003
【図３】
2006517483.tif 000004
【図４】
2006517483.tif 000005
【手続補正書】
【提出日】平成16年9月10日(2004.9.10)
【手続補正１】
【補正対象書類名】特許請求の範囲
【補正対象項目名】全文
【補正方法】変更
【補正の内容】
【特許請求の範囲】
【請求項１】
紙幣または他の同様の証書などの紙製有価物のための保障要素を基材上に印刷するための方法において、
上記基材上に背景を印刷する段階と、
上記背景を少なくとも部分的に覆うパターンを、光学的可変インクを用いて印刷する段階であって、
上記パターンは、
スクリーンの細かさ又はスクリーン線数が、上記光学的可変インクを用いることで生成されて印刷された印刷パターンが半透明である様に選択された、夫々がスクリーン、アニロックス胴または印刷組版によるスクリーン印刷方法またはフレキソ印刷方法またはグラビア印刷、
を用いて印刷されるという段階とを含む方法。
【請求項２】
前記スクリーン印刷方法において使用されるスクリーンは該スクリーンのＸおよびＹ方向において２５．４０ｍｍ（１インチ）当たり約１８０〜２３０ラインを備える、請求項１記載の方法。
【請求項３】
前記フレキソ印刷方法において使用される前記アニロックス胴は約１００〜１２０ライン／センチメートルのスクリーン線数を有すると共に、そのセルの深さは３０〜５０マイクロメートルである、請求項１記載の方法。
【請求項４】
前記グラビア印刷方法において使用される前記印刷組版は６０〜１２０ライン／センチメートル程度のスクリーンの細かさを有すると共に、そのスクリーン角度は０〜７５°で変化可能であり且つその彫刻キャビティの深さは１０〜５０マイクロメートルである、請求項１記載の方法。
【請求項５】
前記背景は単色もしくは多色オフセット方法を用いて印刷される、請求項１乃至４のいずれか一項に記載の方法。
【請求項６】
前記保障要素に対してドライ・エンボス加工を行う段階を備える先行請求項のいずれか一項に記載の方法。
【請求項７】
紙幣および他の同様の証書などの紙製有価物のために基材上に載置される保障要素であって、
上記基材上に印刷された背景（１）と、
上記背景を少なくとも部分的に覆うと共に半透明なパターン（２）であって、上記背景（１）を視認可能なまま残置すべく請求項１乃至４のいずれか一項に記載された方法により光学的可変インクを用いて形成されたパターン（２）と、
を本質的特徴とする保障要素。
【請求項８】
前記背景（１）はオフセット印刷によるものである、請求項７記載の保障要素。
【請求項９】
ドライ・エンボス部（３）を更に備えて成る、請求項７または８に記載の保障要素。
【請求項１０】
請求項７乃至９のいずれか一項に記載の保障要素を備えた、特に紙幣または他の同様の証書である紙製有価物（４）。
【国際調査報告】
2006517483.tif 000006
2006517483.tif 000007
2006517483.tif 000008
2006517483.tif 000009
2006517483.tif 000010
2006517483.tif 000011